(57)【要約】【課題】主に室内空間の温度分布などの物理量分布を簡便に測定することができる空間物理量分布測定方法を提供する。【解決手段】所定数の物理量センサ、加速度センサおよびカウンタを備えた物理量測定体を用いて、所定の空間の物理量分布を測定する空間物理量分布測定方法であって、前記所定の空間をあらかじめ番号が付された小空間に分割し、前記小空間に付された番号と前記カウンタの数値を対応づけ、前記空間において前記小空間に付された番号順に前記物理量測定体を移動させて、前記物理量センサにより前記空間の物理量を継続して測定し、前記物理量測定体を移動させる際に、前記物理量測定体に加速度を与えて、前記加速度センサが所定値を検知した場合に、前記カウンタの数値を所定数だけ変化させ、前記カウンタの数値における前記物理量センサによる測定値を取得し、前記カウンタの数値をもとに、前記小空間と前記物理量センサによる測定値を関連づけて前記空間の物理量分布を測定することを特徴とする。【選択図】図１
2014215063.tif 000002
【特許請求の範囲】
【請求項１】
所定数の物理量センサ、加速度センサおよびカウンタを備えた物理量測定体を用いて、所定の空間の物理量分布を測定する空間物理量分布測定方法であって、
前記所定の空間をあらかじめ番号が付された小空間に分割し、
前記小空間に付された番号と前記カウンタの数値を対応づけ、
前記空間において前記小空間に付された番号順に前記物理量測定体を移動させて、前記物理量センサにより前記空間の物理量を継続して測定し、
前記物理量測定体を移動させる際に、前記物理量測定体に加速度を与えて、前記加速度センサが所定値を検知した場合に、前記カウンタの数値を所定数だけ変化させ、
前記カウンタの数値における前記物理量センサによる測定値を取得し、
前記カウンタの数値をもとに、前記小空間と前記物理量センサによる測定値を関連づけて前記空間の物理量分布を測定することを特徴とする空間物理量分布測定方法。
【請求項２】
前記カウンタの数値を変化させる所定数は、１であることを特徴とする請求項１に記載の空間物理量分布測定方法。
【請求項３】
前記カウンタの数値は、前記物理量測定体を移動させている間に変更可能であることを特徴とする請求項１または２のいずれかに記載の空間物理量分布測定方法。
【請求項４】
所定数の物理量センサおよび時計を備えた物理量測定体を用いて、所定の空間の物理量分布を測定する空間物理量分布測定方法であって、
前記所定の空間をあらかじめ番号が付された小空間に分割し、
前記空間において前記小空間に付された番号順に前記物理量測定体を所定の時間間隔をおいて移動させて、前記物理量センサにより前記空間の物理量を継続して測定するとともに、前記時計により物理量測定時刻を継続して取得し、
前記物理量センサによる測定値の時間変化率の絶対値をもとに、前記小空間と前記物理量センサによる測定値を関連づけて前記空間の物理量分布を測定することを特徴とする空間物理量分布測定方法。
【請求項５】
前記物理量センサによる測定値の時間変化率の絶対値が所定値より小さい場合に、前記物理量センサによる測定値を前記小空間の物理量とみなすことを特徴とする請求項４に記載の空間物理量分布測定方法。
【請求項６】
前記物理量は温度であることを特徴とする請求項１から５のいずれか一項に記載の空間物理量分布測定方法。
【発明の詳細な説明】
【技術分野】
【０００１】
本発明は、主に室内空間の温度分布などの物理量分布を測定する空間物理量分布測定方法に関する。
【背景技術】
【０００２】
空間物理量分布の測定が様々な状況で行われる。例えば、最近では、室内空間の温度分布の測定が重要である。最近の建物の内部においては、データサーバやパソコンなどの電子機器をはじめ、熱を発生する機器が増加している。電子機器は過熱すると故障等につながるため、これらの熱は適切に除去しなければならない。熱の除去は一般に冷却などにより行われているが、的確な冷却が行われているか検証するためには、建物内部の温度分布を測定することが求められる。温度分布を測定することにより、熱の溜まっている箇所はないか、設計通りの冷却が行われているかなどを確認することができる。また、他の例としては、原子力発電所の建物内において、作業員の被ばく量予測などのため、放射線の分布を予め測定しておく例が挙げられる。
【０００３】
このような空間物理量分布の測定のうち、以下では室内空間の温度分布の測定について述べる。室内空間の温度分布を測定する方法として、例えば、特許文献１には、計測対象の空間内を移動する台車と、台車に設置されて空間内の各点における空間温度を検出する温度センサと、温度センサの出力信号を処理して空間温度を演算する演算部を備えている空間温度計測装置を利用した空間温度分布測定方法が開示されている。
【先行技術文献】
【特許文献】
【０００４】
【特許文献１】特開２０１１−１１２４７０号公報
【発明の概要】
【発明が解決しようとする課題】
【０００５】
特許文献１の技術は、簡便な計測装置により少ない労力で空間の温度分布を測定することを可能にしているが、台車に無人搬送車を用いて、あらかじめ設定した経路を自動で走行させたり、台車が走行する床面に磁気テープや光の反射テープを配設し、これをセンサで検出して台車を走行させる。このため、計測対象空間への台車の搬入や、テープの配設に労力を要する。従って、空間の温度分布を測定する方法として、さらに簡便な方法が望まれていた。
【０００６】
本発明は、このような課題に鑑み、主に室内空間の温度分布などの物理量分布を簡便に測定する空間物理量分布測定方法を提供することを目的とする。
【課題を解決するための手段】
【０００７】
上記課題を解決するために、本発明にかかる空間物理量分布測定方法の代表的な構成は、所定数の物理量センサ、加速度センサおよびカウンタを備えた物理量測定体を用いて、所定の空間の物理量分布を測定する空間物理量分布測定方法であって、前記所定の空間をあらかじめ番号が付された小空間に分割し、前記小空間に付された番号と前記カウンタの数値を対応づけ、前記空間において前記小空間に付された番号順に前記物理量測定体を移動させて、前記物理量センサにより前記空間の物理量を継続して測定し、前記物理量測定体を移動させる際に、前記物理量測定体に加速度を与えて、前記加速度センサが所定値を検知した場合に、前記カウンタの数値を所定数だけ変化させ、前記カウンタの数値における前記物理量センサによる測定値を取得し、前記カウンタの数値をもとに、前記小空間と前記物理量センサによる測定値を関連づけて前記空間の物理量分布を測定することを特徴とする。
【０００８】
上記構成によれば、物理量測定体を移動する際に所定の加速度を与えることにより、カウンタの数値を所定数だけ変化させ、それぞれのカウンタの数値における物理量測定値を取得することができる。測定対象の空間は、カウンタの数値に対応した番号が付された小空間に分割されているため、カウンタの数値をもとに、それぞれの小空間における物理量測定値を得ることができる。これにより、測定対象の空間の物理量分布を簡便に測定することができる。
【０００９】
上記のカウンタの数値を変化させる所定数は、１であるとよい。これにより、カウンタの数値を整数で１ずつ増加させる一方、測定対象の空間を分割した各小空間に、例えば、１ずつ増加させた整数を用いた番号を付すことにより、小空間に付された番号とカウンタの数値の対応づけを容易にすることができる。従って、測定対象の空間の物理量分布を簡便に測定することができる。
【００１０】
上記のカウンタの数値は、前記物理量測定体を移動させている間に変更可能であるとよい。これにより、例えば、物理量測定中に、カウンタの数値が、あらかじめ対応付けられた小空間の番号と一致していない場合は、一致するようにカウンタの数値を修正することができる。従って、測定結果を修正しつつ、測定対象の空間の物理量分布を簡便に測定することができる。
【００１１】
上記課題を解決するために、本発明の他の代表的な構成は、所定数の物理量センサおよび時計を備えた物理量測定体を用いて、所定の空間の物理量分布を測定する空間物理量分布測定方法であって、前記所定の空間をあらかじめ番号が付された小空間に分割し、前記空間において前記小空間に付された番号順に前記物理量測定体を所定の時間間隔をおいて移動させて、前記物理量センサにより前記空間の物理量を継続して測定するとともに、前記時計により物理量測定時刻を継続して取得し、前記物理量センサによる測定値の時間変化率の絶対値をもとに、前記小空間と前記物理量センサによる測定値を関連づけて前記空間の物理量分布を測定することを特徴とする。
【００１２】
上記構成によれば、物理量測定体を所定の時間間隔をおいて移動させることにより、物理量測定時刻と物理量測定値を継続して取得することができる。そして、物理量測定値の時間変化率の絶対値をもとに、物理量測定体が各小空間に留まっていた時刻を判断し、物理量測定時刻と物理量測定値を対応付けることにより、それぞれの小空間における物理量測定値を得ることができる。従って、測定対象の空間の物理量分布を簡便に測定することができる。
【００１３】
上記の物理量センサによる測定値の時間変化率の絶対値が所定値より小さい場合に、前記物理量センサによる測定値を前記小空間の物理量とみなすとよい。物理量測定値の時間変化率の絶対値が所定値より小さい場合は、物理量測定体が小空間に留まっていると判断し、その時刻の物理量測定値をその小空間における物理量とみなすことにより、測定対象の空間の物理量分布を簡便に測定することができる。
【００１４】
上記の物理量は温度であるとよい。最近では、室内空間の温度分布の測定が重要であり、本発明にかかる空間物理量分布測定方法は、室内空間の温度分布の測定に好適に用いられる。他の例として、物理量を放射線とし、放射線センサを備えた放射線測定体により、所定の空間の放射線分布を測定するのにも、本発明にかかる空間物理量分布測定方法は好適に用いられる。
【発明の効果】
【００１５】
本発明によれば、主に室内空間の温度分布などの物理量分布を簡便に測定することができる。
【図面の簡単な説明】
【００１６】
【図１】測定対象の空間の小空間への分割と番号付けについて説明する図である。
【図２】加速度センサを備える温度測定体の概略構成を説明する図である。
【図３】温度測定体の移動を説明する図である。
【図４】小空間と温度測定値の関連づけを説明する図である。
【図５】本発明にかかる空間温度分布測定方法の用例を説明するフローチャートである。
【図６】温度測定値の時間変化率を利用する温度測定体の概略構成を説明する図である。
【図７】小空間と温度測定値の関連づけを説明する図である。
【図８】本発明にかかる空間温度分布測定方法の他の用例を説明するフローチャートである。
【発明を実施するための形態】
【００１７】
以下に添付図面を参照しながら、本発明にかかる空間物理量分布測定方法の好適な実施形態について、物理量を温度とし、空間の温度分布の測定を代表例として詳細に説明する。かかる実施形態に示す寸法、材料、その他具体的な数値などは、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
図１は、測定対象の空間の小空間への分割と番号付けについて説明する図であり、データサーバラックが設置された室内空間の平面図である。図１に示す空間には、３つのデータサーバラックＤＳ１〜ＤＳ３が設置されている。図１に示すように、この空間の温度分布を測定するために、後述する温度測定体１０を移動させる移動経路を移動経路Ｘとする。移動経路Ｘ上の矢印は、温度測定体１０の移動方向を示す。
【００１９】
この移動経路Ｘを、例えば、５０ｃｍ間隔で分割する。そして、温度測定体１０の移動の起点となる測定開始点をＡ０とし、５０ｃｍ毎に分割した点を順に、Ａ１、Ａ２、Ａ３、・・と付番する。移動経路Ｘの長さが２５ｍとすると、移動の終点となる測定終了点はＡ５０と付番される。
【００２０】
そして、測定対象の空間を、付番された各点を底面の中心とし、その底面は一辺が５０ｃｍの正方形である直方体の小空間に分割する。分割された各小空間には、５０ｃｍ毎に付された番号（Ａ０、Ａ１、Ａ２、・・、Ａ５０）に対応させて、例えば、ａ０、ａ１、ａ２、・・、ａ５０と付番する。
【００２１】
図２は、加速度センサを備える温度測定体の概略構成を説明する図である。温度測定体１０は、主に、センサ部２０と、測定部３０から構成され、センサ部２０と測定部３０はケーブル４０を介して有線で接続されている。
【００２２】
センサ部２０は、所定数（図１では６つ）の温度センサ２１ａ〜２１ｆと、所定の長さのセンサ取付棒２２から構成され、６つの温度センサ２１ａ〜２１ｆは、鉛直に立てたセンサ取付棒２１の上部付近から２１ａを最高位置にして所定の間隔をおいて取り付けられている。例えば、温度センサ２１ａは、床面から２．１ｍ、温度センサ２１ｆは、床面から０．３５ｍの高さになるよう取り付けられる。それぞれの温度センサ間の距離は、０．３５ｍである。
【００２３】
温度センサ２１ａ〜２１ｆは、いずれも熱電対で構成され、熱電対周囲の温度を検出する。センサ取付棒２２は、例えば、プラスチック製の直径３ｃｍの円柱状の棒である。
【００２４】
測定部３０は、加速度センサ３１と、カウンタ３２と、記録部３３から構成される。加速度センサ３１は、温度測定体１０に与えられた加速度を検知する。カウンタ３２は、所定の信号入力により、数値が所定の数だけ変化する回路を有する計器である。加速度センサ３１が温度測定体１０に与えられた所定の加速度を検知すると、加速度センサ３１からカウンタ３２にその検出信号が伝送されて、カウンタ３２の数値が所定の数だけ加算または減算される。記録部３３は、例えば、データロガーであり、温度センサ２１ａ〜２１ｆによる測定値とカウンタ３２の数値を取得し、記録する。
【００２５】
図３は、温度測定体の移動を説明する図であり、例として移動経路Ｘ上の点Ａ２から点Ａ３へ温度測定体１０を移動させる様子を示している。図３に示すように、Ａ２に置かれた温度測定体１０（（ａ）の状態）は、持ち上げて移動させられ（（ｂ）の状態）、Ａ３に下ろされる（（ｃ）の状態）。ここで、温度測定体１０を持ち上げるのは、人力により行うことができる。温度測定体１０が（ａ）から（ｃ）の状態に移動する際に、温度測定体１０に加速度が与えられる。また、温度測定体１０を移動させる他の方法として、必要に応じてタイヤを付加するなどして移動可能とした温度測定体１０が停止状態から移動開始する際に、加速度が与えられるように温度測定体１０に力を加えることにより移動させてもよい。
【００２６】
図４は、小空間と温度測定値の関連づけを説明する図である。温度測定体１０を用いて、空間の温度分布を測定する場合を示している。
【００２７】
図４（ａ）に示すように、測定対象の空間を分割した小空間に付された番号（ａ０、ａ１、ａ２、・・、ａ５０）と、カウンタ３２の数値（０、１、２、・・、５０）を対応づける。温度測定体１０による空間の温度測定により、図４（ｂ）に示すように、カウンタ３２の数値（０、１、２、・・、５０）における温度センサ２１ａ〜２１ｆによる測定値（Ｔ０ａ〜Ｔ５０ｆ）を取得する。ここで、温度センサ２１ａによる測定値をＴ０ａ、Ｔ１ａ、・・、Ｔ５０ａとする。温度センサ２１ｂによる測定値をＴ０ｂ、Ｔ１ｂ、・・、Ｔ５０ｂとする。同様に、温度センサ２１ｃ〜２１ｆによる測定値を付番する。
【００２８】
そして、図４（ｃ）に示すように、図４（ａ）と図４（ｂ）の結果から、カウンタの数値（０、１、２、・・、５０）をもとに、小空間（ａ０、ａ１、ａ２、・・、ａ５０）と温度センサ２１ａ〜２１ｆによる測定値Ｔ０ａ〜Ｔ５０ｆを関連づける。これにより、測定対象の空間の温度分布を測定することができる。
【００２９】
続いて、上述した温度測定体１０を用いた空間温度分布測定方法について詳細に説明する。図５は、本発明にかかる空間温度分布測定方法の用例を説明するフローチャートである。本発明にかかる空間温度分布測定方法では、測定対象の空間をあらかじめ番号が付された小空間に分割し、小空間に付された番号とカウンタ３２の数値を対応づける（Ｓ０１）。本用例では、図１で説明したように、５１個に分割した各小空間に付された番号ａ０〜ａ５０とカウンタ３２の数値０〜５０を対応づけている。
【００３０】
次に、測定対象の空間において小空間に付された番号（ａ０〜ａ５０）順に移動経路Ｘに沿って温度測定体１０を移動させる。このとき、温度センサ２１ａ〜２１ｆにより空間の温度を継続して測定する。また、温度測定体１０を移動させる際に、温度測定体１０に加速度を与えて、加速度センサ３１が所定値を検知した場合に、カウンタ３２の数値を所定数だけ変化させる（Ｓ０２）。
【００３１】
このとき、カウンタ３２の数値を変化させる所定数は、１とするとよい。これにより、例えば、カウンタ３２の数値を１ずつ増加させる一方、測定対象の空間を分割した各小空間に、例えば、１ずつ増加させた整数を用いた番号を付すことにより、小空間に付された番号とカウンタの数値の対応づけを容易にすることができる。従って、測定対象の空間の温度分布を簡便に測定することが可能となる。
【００３２】
記録部３３は、カウンタ３２の数値０〜５０における温度センサ２１ａ〜２１ｆによる測定値を取得する（Ｓ０３）。ここで、カウンタ３２の数値における温度センサ２１ａ〜２１ｆによる測定値は、直接取得されてもよいし、例えば、温度測定体１０がさらに時計を有し、カウンタ３２の数値における時刻と、時刻における温度センサ２１ａ〜２１ｆによる測定値のそれぞれを取得し、時刻をもとに、カウンタ３２の数値と温度センサ２１ａ〜２１ｆによる測定値を対応づけることにより、取得されてもよい。
【００３３】
そして、カウンタ３２の数値０〜５０をもとに、小空間ａ０〜ａ５０と温度センサ２１ａ〜２１ｆによる測定値Ｔ０ａ〜Ｔ５０ｆを関連づける（Ｓ０４）。これにより、温度測定体１０を移動する際に、加速度センサ３１が検知可能な所定の加速度を温度測定体１０に与えることにより、カウンタ３２の数値を所定数だけ変化させ、それぞれのカウンタ３２の数値における温度測定値Ｔ０ａ〜Ｔ５０ｆを取得することができる。測定対象の空間は、カウンタ３２の数値に対応した番号が付された小空間ａ０〜ａ５０に分割されているため、カウンタ３２の数値をもとに、それぞれの小空間における温度測定値を得ることができる。従って、測定対象の空間の温度分布を簡便に測定することができる。
【００３４】
カウンタ３２の数値は、温度測定体１０を移動させている間に変更可能にすることができるとよい。これにより、温度測定体１０を移動させて空間の温度を測定中に、温度測定体１０に与える加速度が不十分で、カウンタ３２の数値が変化しない場合や、誤って加速度を与えてしまい必要以上にカウンタ３２の数値が変化してしまった場合でも、カウンタ３２の数値が、あらかじめ対応付けられた小空間の番号と一致するように、カウンタ３２の数値を修正することができる。このため、カウンタ３２と小空間との対応づけを修正しつつ、測定対象の空間の温度分布を簡便に測定することができる。
【００３５】
図６は、温度測定値の時間変化率を利用する温度測定体の概略構成を説明する図である。温度測定体６０は、主に、センサ部７０と、測定部８０から構成され、センサ部７０と測定部８０はケーブル９０を介して有線で接続されている。
【００３６】
センサ部７０は、センサ部２０と同じものを用いることができる。すなわち、センサ部７０は、所定数（図６では６つ）の温度センサ７１ａ〜７１ｆと、所定の長さのセンサ取付棒７２から構成され、６つの温度センサ７１ａ〜７１ｆは、鉛直に立てたセンサ取付棒７１の上部付近から７１ａを最高位置にして所定の間隔をおいて取り付けられている。例えば、温度センサ７１ａは、床面から２．１ｍ、温度センサ２１ｆは、床面から０．３５ｍの高さになるよう取り付けられる。それぞれの温度センサ間の距離は、０．３５ｍである。
【００３７】
そして、温度センサ７１ａ〜７１ｆは、いずれも熱電対で構成され、熱電対周囲の温度を検出する。センサ取付棒７２は、例えば、プラスチック製の直径３ｃｍの円柱状の棒である。
【００３８】
測定部８０は、時計８１と、記録部８３から構成される。時計８１は、一般に用いられる時計であり、時間を継続して測定する。記録部８３は、例えば、データロガーであり、温度センサ７１ａ〜７１ｆによる測定値と時計８１により測定された時間（時刻）を取得し、記録する。
【００３９】
図７は、小空間と温度測定値の関連づけを説明する図である。温度測定体６０を用いて、空間の温度分布を測定する場合を示している。
【００４０】
図７（ａ）に示すように、測定対象の空間を分割した小空間に付された番号（ａ０、ａ１、ａ２、・・、ａ５０）と、時計８１により測定された時刻（ｔ０、ｔ１、ｔ２、・・、ｔ５０）を対応づける。すなわち、どの時刻にどの小空間を温度測定体６０が移動するかを把握しておく。
【００４１】
一方、例えば、横軸に時間、縦軸に温度測定体６０により測定された温度をプロットした図を作成する。図７（ｂ）は、横軸に時間、縦軸に温度センサ７１ａによる測定温度をプロットした図を示している。この図において、測定開始時刻ｔ０における測定温度をＴ０ａとする。そして、温度の時間変化率が相対的に小さい時刻をｔ１、ｔ２、・・、ｔ５０とし、その各時刻における温度をそれぞれＴ１ａ、Ｔ２ａ、・・、Ｔ５０ａとする。温度センサ７１ｂ〜７１ｆによる測定値についても同様に、時刻ｔ０、ｔ１、・・、ｔ５０に対応した測定値Ｔ０ｂ〜Ｔ５０ｆを得る。
【００４２】
図７（ａ）と図７（ｂ）の結果から、図７（ｃ）に示すように、時計８１による測定時刻（ｔ０、ｔ１、・・、ｔ５０）をもとに、小空間（ａ０、ａ１、ａ２、・・、ａ５０）と温度センサ７１ａ〜７１ｆによる測定値Ｔ０ａ〜Ｔ５０ｆを関連づける。これにより、測定対象の空間の温度分布を測定することができる。
【００４３】
続いて、上述した温度測定体６０を用いた空間温度分布測定方法について詳細に説明する。温度測定体６０は、図１に示すように、温度測定体１０と同様に、測定対象の空間にて、移動経路Ｘ上を矢印の方向に移動する。
【００４４】
図８は、本発明にかかる空間温度分布測定方法の他の用例を説明するフローチャートである。本発明にかかる空間温度分布測定方法では、測定対象の空間をあらかじめ番号が付された小空間に分割し、小空間に付された番号と、温度測定体６０が小空間を移動する時刻を対応づける（Ｓ１１）。本用例では、図１で説明したように、５１個に分割した各小空間に付された番号ａ０〜ａ５０と、温度測定体６０が小空間を移動する時刻ｔ０〜ｔ５０を対応づけている。
【００４５】
次に、測定対象の空間において小空間に付された番号（ａ０〜ａ５０）順に移動経路Ｘに沿って温度測定体６０を所定の時間間隔をおいて移動させる。このとき、温度センサ７１ａ〜７１ｆにより空間の温度を継続して測定する。また、温度測定体６０の測定部８０の時計８１により、温度測定の時刻を継続して取得する（Ｓ１２）。
【００４６】
そして、各時刻における温度測定値の時間変化率の絶対値を求め、その値が相対的に小さい時刻を、温度測定体６０が各小空間に留まっていた時刻と判定し、順にｔ１、ｔ２、・・、ｔ５０とする（Ｓ１３）。次に、その時刻ｔ１、ｔ２、・・、ｔ５０をもとに、小空間ａ０〜ａ５０と温度センサ７１ａ〜７１ｆによる測定値Ｔ０ａ〜Ｔ５０ｆを関連づける（Ｓ１４）。温度測定値の時間変化率の絶対値が相対的に小さいことの判断は、その絶対値を所定値と比較することにより行い、所定値より小さい場合に、相対的に小さいと判断すればよい。すなわち、温度測定値の時間変化率の絶対値が所定値より小さい場合に、温度測定体６０が小空間に留まっていると判断し、その時刻の温度測定値をその小空間における温度とみなすことができる。
【００４７】
これにより、温度センサ７０による測定温度の時間変化率の絶対値をもとに、各小空間の温度測定時刻ｔ０、ｔ１、・・、ｔ５０を取得することができる。測定対象の空間は、温度測定体６０が小空間を移動する時刻と対応づけられた小空間ａ０〜ａ５０に分割されているため、温度センサ７０による測定温度の時間変化率の絶対値をもとに得られた各小空間の温度測定時刻を介して、それぞれの小空間における温度測定値を得ることができる。従って、測定対象の空間の温度分布を簡便に測定することができる。
【００４８】
以上、添付図面を参照しながら本発明の好適な実施形態について、物理量を温度とし、空間の温度分布の測定を代表例として説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
例えば、物理量を放射線とし、所定数の放射線センサ、加速度センサおよびカウンタを備えた放射線測定体を用いて、所定の空間の放射線分布を測定するのに、本発明にかかる空間放射線分布測定方法を適用してもよい。
【産業上の利用可能性】
【００５０】
本発明は、主に室内空間の温度分布などの物理量分布を測定する空間物理量分布測定方法に利用することができる。
【符号の説明】
【００５１】
１０、６０  …温度測定体
２０、７０  …センサ部
２１ａ〜２１ｆ、７１ａ〜７１ｆ  …温度センサ
２２、７２  …センサ取付棒
３０、８０  …測定部
３１、８１  …加速度センサ
３２  …カウンタ
３３、８３  …記録部
４０、９０  …ケーブル
ａ０〜ａ５０  …小空間の底面の中心
Ａ０〜Ａ５０  …小空間
ＤＳ１〜ＤＳ３  …データサーバ
Ｔ０ａ〜Ｔ５０ｆ  …温度センサによる測定値
Ｘ  …移動経路
【図１】
2014215063.tif 000003
【図２】
2014215063.tif 000004
【図３】
2014215063.tif 000005
【図４】
2014215063.tif 000006
【図５】
2014215063.tif 000007
【図６】
2014215063.tif 000008
【図７】
2014215063.tif 000009
【図８】
2014215063.tif 000010